(57)【特許請求の範囲】
【請求項１】
遊技球を貯留する貯留タンクと、該貯留タンクから供給された遊技球を下流に向けて案内すべく、下流側に先下りに傾斜した傾斜路と、前記傾斜路から転動してきた遊技球を一列に整列させて下流側に供給する整列部と、該整列部から供給される遊技球を所定球数ずつ払い出す遊技球払出装置とを備え、前記整列部は、移動方向に対して交差方向で重なり合う遊技球の球数が下流側に向うほど漸減するように、遊技球の通過する内部空間が下流側ほど小さくなる管路が形成されるとともに、該管路の下流側に一球のみの遊技球が通過し得る通過部が形成され、遊技球が前記通過部を順次通過することで一列に整列して遊技球払出装置に供給されるように構成された遊技機であって、前記遊技球払出装置が左右対称に一対設けられるとともに、貯留タンクから供給される遊技球を一対の遊技球払出装置に振り分けるべく、前記傾斜路が左右対称に一対設けられ、各傾斜路は、少なくとも一カ所で遊技球の移動方向を上方から見て略１８０度変換する屈曲部を有し、しかも屈曲部の外縁部には、上流側から転動してくる遊技球の重量の分力を受けつつ該遊技球を下流側に向けて案内する緩衝ガイド体が立設されてなることを特徴とする遊技機。
【請求項２】
前記傾斜路は、前記屈曲部に接続される上流側、及び下流側の部分が真っ直ぐな直線部で構成され、前記直線部を複数形成するように前記屈曲部が複数形成されてなる請求項１記載の遊技機。
【請求項３】
前記複数の直線部のそれぞれが、上方から見て並設されるように、前記複数の屈曲部のそれぞれが、上方から見てＵ字状に湾曲するとともに、緩衝ガイド体が、屈曲部の外縁部の曲率半径に対応した湾曲面を備えてなる請求項２記載の遊技機。
【請求項４】
前記直線部は、遊技球の傾斜路からの離脱を防止する離脱防止ガイド体が、直線部における遊技球の移動方向に対して直交方向の両端に立設されてなる請求項２又３は記載の遊技機。
【発明の詳細な説明】
【０００１】
【発明の属する技術分野】
本発明は、遊技領域に向けて遊技球を打ち出し、該遊技球が遊技領域内の所定位置に設けられた受球口に入球することで賞球を得る遊技機に関する。
【０００２】
【従来の技術】
従来から、貯留皿に貯留された複数の遊技球が発射装置に一球ずつ供給され、該供給された遊技球を発射装置により遊技領域内に打ち出し、該遊技領域内に設けられた所定の受球口に入球することで、賞球を得られたり、抽選が行われた結果、特別遊技モードに突入して賞球を得られたりする遊技機（いわゆる、パチンコ機）が周知である。
【０００３】
かかるパチンコ機は、獲得した前記賞球や、遊技者が遊技を行うべく購入した所定球数の遊技球が、パチンコ機内部に設けられた機構盤から貯留皿に供給されるように構成されている。
【０００４】
前記機構盤は、複数のパチンコ機が設置される遊技機設置台（いわゆる、遊技島）に設けられた遊技球供給装置から供給された遊技球を貯留する貯留タンクと、該貯留タンクに接続されて賞球を払い出す賞球払出経路と、遊技者が購入した遊技球を、購入金額に対応した数量の遊技球を払い出す貸球払出経路とを備えている。
【０００５】
前記賞球払出経路及び貸球払出経路は、略同一の構成を有しており、賞球払出経路及び貸球払出経路のそれぞれは、貯留タンクに接続されて当該貯留タンクに対して下流側に先下りに傾斜した真っ直ぐな傾斜路と、傾斜路の下流側に設けられた遊技球払出装置と、該遊技球払出装置と前記貯留皿とを接続する角管からなる払出路とを備えている。なお、賞球払出経路の遊技球払出装置は、受球口に入球した遊技球の球数に対し、予め設定された遊技球一球当たりの球数を乗じた賞球が払い出されるように構成される一方、貸球払出経路の遊技球払出装置は、遊技者が投入した金額に対応した球数の遊技球が払い出されるように構成されており、この点において賞球払出経路と貸球払出経路とが相違する。
【０００６】
前記賞球払出経路及び貸球払出経路のそれぞれの傾斜路は、遊技球払出装置が所定球数の遊技球を払出路に向けて円滑に払い出せるように、遊技球払出装置の上流側となる所定位置で一列に整列させるガイド体を備えている。
【０００７】
該ガイド体は、傾斜路上の所定位置で一球の遊技球のみを通過させる通過部を形成するとともに、通過部の上流側で遊技球の移動方向に対して交差方向で重なり合う遊技球の球数を漸減させつつ、該重なり合う遊技球のそれぞれを通過部に向けて案内するように、重なり合う遊技球を当接させて通過部に向けて移動させる傾斜面を備えている。これにより、傾斜路上で重なり合った遊技球が、傾斜路の傾斜、及びガイド体の傾斜面に沿って順次通過部へと導かれ、当該通過部を通過した遊技球を一列に整列させることができる。したがって、遊技球払出装置に大きな負荷がかかるのを防止した状態で、遊技球が遊技球払出装置に供給されるので、該遊技球払出装置は、払出路を介して所定球数の遊技球を円滑に貯留皿へと払い出すことができる。
【０００８】
しかしながら、傾斜路上の遊技球は、真っ直ぐな傾斜路上で数珠繋ぎな状態となっているため、通過部近傍で重なり合う遊技球に、傾斜路の傾斜角に対応した上流側に位置する遊技球の重量の分力の全て（大きな力）が作用し、通過部に向けて案内されるはずの遊技球と、通過部を通過しようとする遊技球とが干渉して傾斜路上の当該部分で球詰まりが発生する場合がある。
【０００９】
そこで、通過部近傍で重なり合う遊技球による球詰まりを防止すべく、例えば、特開平７−９６０７７号公報所載のものや、特開平８−７１２１２号公報所載のものが提案されている。
【００１０】
前記特開平７−９６０７７号公報所載の発明は、傾斜路（タンクレール）上で球詰まりが発生した際に、遊技球が供給されない遊技球払出装置（景品球遊技球払出装置）から球切れ信号が発信され、該信号により傾斜路（タンクレール）に設けた振動手段で、当該傾斜路を振動させて球詰まりを解消するように構成されている。
【００１１】
一方、特開平８−７１２１２号公報所載の発明は、傾斜路上で重なり合う遊技球を、傾斜路（タンクレール）の上方に設けた揺動自在な球ならしに接触させることで、該遊技球の重なりを解除し、球詰まりを防止した状態にするように構成されている。
【００１２】
【発明が解決しようとする課題】
しかしながら、上記公報所載の発明の何れもが、傾斜路に振動手段や球ならし等の可動部品を要するため、機構盤の構造が複雑になるとともに、生産コストの高騰を招いてしまう。
【００１３】
そこで、本発明は、斯かる実情に鑑み、可動部品を用いることなく容易な構成で、傾斜路上で重なり合う遊技球の球詰まりを防止し、且つ該重なり合った遊技球を一列に整列させることができる機構盤を備えた遊技機を提供することを課題とする。
【００１４】
【課題を解決するための手段】
本発明にかかる画像処理装置は、請求項１記載の如く、遊技球を貯留する貯留タンクと、該貯留タンクから供給された遊技球を下流に向けて案内すべく、下流側に先下りに傾斜した傾斜路と、前記傾斜路から転動してきた遊技球を一列に整列させて下流側に供給する整列部と、該整列部から供給される遊技球を所定球数ずつ払い出す遊技球払出装置とを備え、前記整列部は、移動方向に対して交差方向で重なり合う遊技球の球数が下流側に向うほど漸減するように、遊技球の通過する内部空間が下流側ほど小さくなる管路が形成されるとともに、該管路の下流側に一球のみの遊技球が通過し得る通過部が形成され、遊技球が前記通過部を順次通過することで一列に整列して遊技球払出装置に供給されるように構成された遊技機であって、前記遊技球払出装置が左右対称に一対設けられるとともに、貯留タンクから供給される遊技球を一対の遊技球払出装置に振り分けるべく、前記傾斜路が左右対称に一対設けられ、各傾斜路は、少なくとも一カ所で遊技球の移動方向を上方から見て略１８０度変換する屈曲部を有し、しかも屈曲部の外縁部には、上流側から転動してくる遊技球の重量の分力を受けつつ該遊技球を下流側に向けて案内する緩衝ガイド体が立設されてなることを特徴とする。
【００１５】
かかる遊技機によれば、供給された遊技球が傾斜路の傾斜により下流側（屈曲部）に向けて転動し、該遊技球が屈曲部に設けられた緩衝ガイド体に一旦当接する。その後、屈曲部に対して下流側の傾斜路の傾斜により、緩衝ガイド体に当接した遊技球が通過部に向けて転動することとなる。
【００１６】
このように、傾斜路上を転動する遊技球を緩衝ガイド体に一旦当接させることで、通過部近傍に位置する遊技球に対し、該通過部から貯留タンクまでの間の傾斜路上の全ての遊技球の重量（正確には傾斜路の傾斜角に対応した遊技球の重量（垂直方向に作用する力）に対する分力）が生じなくなる。換言すれば、通過部近傍に位置する遊技球に対し、屈曲部から下流側の傾斜路上に位置する少数の遊技球の重量の分力のみが作用することとなる。
【００１７】
したがって、ガイド体によって通過部に案内される重なりあった遊技球のそれぞれに、通過部近傍の球詰まりの原因となる大きな押圧力（全傾斜路上の複数の遊技球の重量の分力の合計と略同等の大きな力）が作用しないため、可動部材を用いることなく、通過部近傍での球詰まりを防止して、通過部で遊技球を整列させることができる。これにより、傾斜路の下流側に所定球数の遊技球を計量して払い出す遊技球払出装置を設けても、該遊技球払出装置に遊技球を円滑に導くことができ、遊技球の未払い出しを防止し、遊技の中断などを防止することができる。
【００１８】
また、請求項２記載の如く、前記傾斜路は、前記屈曲部に接続される上流側、及び下流側の部分が真っ直ぐな直線部で構成され、前記直線部を複数形成するように前記屈曲部が複数形成されてもよい。
【００１９】
このようにすれば、遊技球が供給される傾斜路の上流部と通過部との間に複数の屈曲部を形成することで、傾斜路の傾斜角に対応する遊技球の重量の分力の作用方向の異なる複数の直線部を形成することができ、しかも、各直線部における遊技球の移動方向の長さを短くすることができる。これにより、通過部に接続された最下流に位置する傾斜路の直線部上に位置する遊技球の球数を極めて少数にすることができ、通過部近傍で重なり合う遊技球に、最下流の直線部上の極めて少数の遊技球の重量の分力（極めて小さな力）のみが作用することとなり、いっそう通過部近傍での球詰まりを防止を行うことができる。
【００２０】
さらに請求項３記載の如く、前記複数の直線部のそれぞれが、上方から見て並設されるように、前記複数の屈曲部のそれぞれが、上方から見てＵ字状に湾曲するとともに、緩衝ガイド体が、屈曲部の外縁部の曲率半径に対応した湾曲面を備えれば、傾斜路が上方から見て折り返えされた状態をなすこととなる。したがって、傾斜路上に供給された遊技球は、各屈曲部の緩衝ガイド体の湾曲面に沿って移動して移動方向が略１８０度変換される。
【００２１】
これにより、各直線部内での遊技球の重量の分力の作用方向も変換されるので、通過部に接続された最下流に位置する直線部上に位置する極めて少数の遊技球の重量のみが、通過部近傍で重なり合う遊技球に作用することとなる。
【００２２】
その上、遊技球が供給される傾斜路の上流部（従来の貯留タンク）と通過部との高低差間に、折り返された複数の直線部を形成して傾斜路の全長を長くすることで、複数の直線部の傾斜角度を小さくすることができるので、傾斜路の傾斜角度に対応する遊技球の重量の分力を小さくすることができ、いっそう通過部近傍での球詰まりを防止することができる。
【００２３】
また、請求項４記載の如く、前記直線部は、遊技球の傾斜路からの離脱を防止する離脱防止ガイド体が、直線部における遊技球の移動方向に対して直交方向の両端に立設されれば、屈曲部に向かって転動する遊技球が、直線部で外部に離脱するのを防止することができ、遊技球を円滑に供給することができる。
【００２４】
【発明の実施の形態】
以下、本発明にかかる遊技機の一実施形態としてのパチンコ遊技機について図面を参酌しつつ説明する。
【００２５】
本実施形態にかかるパチンコ遊技機は、図１及び図２に示す如く、複数のパチンコ遊技機を所定間隔で設置するパチンコ店（ホール）内に適宜設置された設置台（いわゆる遊技島（図示せず））に固定される略矩形状の設置枠１と、該設置枠１に開閉自在に取り付けられるベース枠２と、当該パチンコ遊技機の前面に位置するように、ベース枠２に着脱自在に取り付けられる前面枠３と、前記ベース枠２内に着脱自在に嵌め込まれる機構盤４とで構成されている。
【００２６】
前記設置枠１は、横方向に長尺な天板５と、該天板５に対して対向配置された天板５より奥行幅が広い底板６と、天板５及び底板６の長手方向の一端部同士を接続した前記天板５及び底板６より長尺な起立した側板７と、天板５及び底板６の他端部同士を接続した起立状態にある金属ロッド８とで構成されている。天板５及び底板６の一端部には、前方に向かって突出したブラケット９が設けられ、ブラケット９のそれぞれには、互いに同心で対向するように突出した第一支持軸１０が設けられている。
【００２７】
ベース枠２は、設置枠１の内部空間に嵌め込まれるベース枠本体１１と、該ベース枠本体１１の背面から後方に向かって方形状に膨出した収容部１２とを備えており、該収容部１２は、遊技の内容や当該パチンコ遊技機を動作させる制御部（図示せず）を構成する回路基板等の電気機器を収容できるように構成されている。
【００２８】
前記ベース枠本体１１における収容部１２の上方位置には、横長の矩形状をなす角穴１３が形成されており、該角穴１３は、ベース枠２内に機構盤４を嵌め込んだ際に、後述する貯留タンク１４をベース枠２の裏面から後方に臨出させるべく設けられている。
【００２９】
また、ベース枠本体１１の下部前面には、遊技の演出効果を高める音楽等の音響を発する一対のスピーカーＳが、後述する化粧枠２６及び装飾カバーＣと面一となるように設けられている。
【００３０】
さらに、ベース枠本体１１の横方向の一端部（左端部）には、上下一対のブラケット１５ａ，１５ｂ（以下、上位のブラケットを第一上ブラケット１５ａといい、下位のブラケットを第一下ブラケット１５ｂという）が設けられている。
【００３１】
第一上ブラケット１５ａは、ベース枠本体１１から前方に突出したブラケットベース１６と、該ブラケットベース１６に垂設されたサブブラケット１７とで構成されいる。
【００３２】
前記ブラケットベース１６には、前記設置枠１の上位のブラケット９の第一支持軸１０を嵌め込むべく前方に開部を有し、且つ上下方向に貫通した平面視Ｌ型の貫通溝１８が形成され、サブブラケット１７には、ブラケットベース１６の貫通溝１８に設置枠１の第一支持軸１０を嵌め込んだ際に、該第一支持軸１０と略同軸をなす第二支持軸１９が垂設されている。
【００３３】
一方、第一下ブラケット１５ｂには、設置枠１の下位のブラケット９の第一支持軸１０が内挿される上下方向に貫通した貫通穴２０が穿設されている。
【００３４】
そして、第一上ブラケット１５ａ及び第一下ブラケット１５ｂとの間であって、第一下ブラケット１５ｂ寄りの位置には、前方に向かって突出した別のブラケット２１（以下、第一中ブラケットという）が設けられており、該第一中ブラケット２１には、第一上ブラケット１５ａの第二支持軸１９と同心で対向する第三支持軸２２が上方に向かって立設されている。
【００３５】
このように構成されたベース枠２は、設置枠１の下位のブラケット９の第一支持軸１０を第一下ブラケット１５ｂの貫通穴２０に内挿し、設置枠１の上位のブラケット９の第一支持軸１０を第一上ブラケット１５ａの貫通溝１８に嵌め込むことで、第一支持軸１０，１０周りに回動して、設置枠１内に収容された収容姿勢と、設置枠１から引き出された引出姿勢との間で姿勢変更可能になる。換言すれば、ベース枠２は、設置枠１から取り外し可能、且つ引出可能に前記設置枠１に取り付けられている。
【００３６】
前記前面枠３は、前記ベース枠２に開閉自在に取り付けられる遊技盤保持枠２３と、該遊技盤保持枠２３に開閉自在に取り付けられるガラス扉２４と、該ガラス扉２４の窓枠２５を覆い得るように、遊技盤保持枠２３に開閉自在に取り付けられる化粧枠２６とで構成されている。
【００３７】
前記遊技盤保持枠２３は、ベース枠本体１１の前面開口の大きさに対応して形成された正面視略矩形状の遊技盤保持枠本体２７と、遊技盤保持枠本体２７の前面の下方に形成された貯留・操作部２８と、遊技盤保持枠本体２７に貯留・操作部２８の上方に位置して形成された正面視略方形状の開口に嵌め込まれ、前面側に遊技を行う遊技領域Ｐを形成する遊技盤２９とで構成されている。
【００３８】
前記遊技盤保持枠本体２７の幅（短手）方向の一端部（正面視左端部）には、上下一対のブラケット３０ａ，３０ｂ（以下、上位のブラケットを第二上ブラケット３０ａといい、下位のブラケットを第二下ブラケット３０ｂという）が前方に向けて突出して設けられている。
【００３９】
前記第二上ブラケット３０ａには、第一上ブラケット１５ａの第二支持軸１９を嵌め込むべく、前方に開部を有し、且つ上下方向に貫通する平面視Ｌ型の貫通溝３１が形成されており、第二下ブラケット３０ｂには、ベース枠本体１１の第一中ブラケット２１の第三支持軸２２を内挿する貫通穴３２が穿設されている。
【００４０】
そして、前記遊技盤保持枠本体２７の第二上ブラケット３０ａ及び第二下ブラケット３０ｂ間であって、第二下ブラケット３０ｂよりの位置に別のブラケット３３（以下、第二中ブラケットという）が前方に突出して設けられており、該第二中ブラケット３３には、化粧枠２６の後述する第四支持軸３４を内挿する貫通穴３５が穿設されている。
【００４１】
さらに、前記遊技盤保持枠本体２７は、遊技盤２９を嵌め込む開口を形成する上端部における幅方向の一端部（左端部）に、板材がＬ字状に曲げられた金具３６が、一方の片を当該遊技盤保持枠本体２７の前面側に位置させるとともに、他方の片を開口を形成した内周面に当設させて取り付けられており、該他方の片には、窓枠２５の上端に設けられた軸３７を内挿する穴（図示しない）が穿設されている。また、前記開口を形成する幅方向の起立した左端部の下部には、ブラケット３８（以下、窓用ブラケットという）が開口内部に向けて突設されており、該窓用ブラケット３８には、窓枠２５に設けられた軸（図示しない）を内挿する穴が穿設されている。なお、金具３６の穴と窓用ブラケット３８の穴とは、互いに同心で対向している。
【００４２】
前記貯留・操作部２８は、複数の遊技球を貯留する貯留皿３９と、遊技盤保持枠本体２７に取り付けられ、貯留皿３９から順次供給される遊技球を一球ずつ遊技盤２９の遊技領域Ｐに向けて打ち出す発射装置（図示しない）と、遊技盤保持枠本体２７の前面から延出して設けられ、前記発射装置を動作させるハンドル４０とで構成されている。なお、貯留・操作部２８の前面には、化粧枠２６のデザインに対応した装飾カバーＣが取り付けられており、貯留皿３９の開口内部、及びハンドル４０のみが外部に露呈している。
【００４３】
前記遊技盤２９は、前記遊技盤保持枠本体２７に形成された開口の内寸に対応した略正方形状の板材で構成されており、前記遊技盤保持枠本体２７の開口に嵌め込まれた際に、当該パチンコ遊技機の前面側に位置する一方の面には、遊技装飾領域Ｐｄが形成されている。
【００４４】
該遊技装飾領域Ｐｄは、実際に遊技を行う遊技領域Ｐと、前記化粧枠２６に覆われて装飾される装飾領域Ｄとで構成されている。
【００４５】
かかる遊技領域Ｐは、前記発射装置によって打ち出される遊技球を確実に遊技領域Ｐ内へと導くべく、発射装置近傍を始点にして帯状のレールが円形渦巻き状に取り付けられ、平面視略円形状に形成されている。さらに、遊技領域Ｐには、打ち出された遊技球の落下方向性を変化させる複数の釘（図示せず）、回転体Ｔ（いわゆる、風車）、及び遊技球が入球することで賞球が得られたり、特別な遊技モードへの突入の可否の抽選が実行される受球口Ｉ等が適宜設けられている。かかる受球口Ｉは、遊技球が入球することにより、制御部に抽選を行うように指示する指示信号が発信されるように構成されており、遊技領域Ｐの略中央には、制御部の抽選結果を表示する表示部Ｂが形成されている。このように構成された遊技盤２９は、遊技盤保持枠本体２７の開口に嵌め込まれ、当該遊技盤保持枠本体２７の裏面側から固定されている。
【００４６】
また、遊技盤２９の下部には、当該遊技盤２９の表裏に貫通した角筒状の払出管４４が、一方の面から延出して設けられている。該払出管４４は、遊技盤２９の一方の面から延出した一端開口が貯留皿３９の底部と対向するように、一端部をＬ字状に屈曲させて形成され、他端開口が機構盤４の後述する払出経路の他端口に接続可能となるように、遊技盤２９の裏面と略面一に位置している。
【００４７】
前記ガラス扉２４は、遊技盤２９の形状及び大きさに対応した平面視略方形状の上述した金属製の窓枠２５と、該窓枠２５内に嵌め込まれた板ガラスＧとで構成されいる。窓枠２５の横方向の一端（左端）部における上下端部のそれぞれには、上述した軸３７（下端部の軸は窓枠２５で隠れている）が軸方向に出退自在に設けられている。該ガラス扉２４は、上下の軸３７のそれぞれを、遊技盤保持枠本体２７の金具３６及び窓用ブラケット３８の穴に内挿することにより、上記構成のガラス扉２４は、軸３７回りに正逆回動して、遊技盤２９の遊技領域Ｐを視認可能に遊技装飾領域Ｐｄの前面を覆った保護姿勢と、遊技装飾領域Ｐｄの前面を開放した開放姿勢との間で姿勢変更可能となる。
【００４８】
前記化粧枠２６は、前記遊技盤保持枠本体２７における貯留・操作部２８より上方を覆い得るように、正面視略正方形状をなしており、遊技盤２９の遊技領域Ｐに対応する円形窓４１が形成され、遊技盤２９の装飾領域Ｄを覆った状態でガラス扉２４を介して遊技領域Ｐを視認可能とされ、該化粧枠２６の前面には、色とりどりのレンズ体Ｌ内にランプ（図示せず）が設けられた、いわゆる電飾Ｅが適宜配置されている。
【００４９】
そして、化粧枠２６は、横方向の一端部（左端部）には、上下一対のブラケット４２ａ，４２ｂ（以下、上位のブラケットを第三上ブラケット４２ａといい、下位のブラケットを第三下ブラケット４２ｂという）が前方に突出して設けられている。該第三上ブラケット４２ａには、第二上ブラケット３０ａを介して下方に突出する第一上ブラケット１５ａの第二支持軸１９を嵌め込むべく、前方に開部を有し、上下方向に貫通した平面視Ｌ型の貫通溝４３が形成されており、第三下ブラケット４２ｂには、遊技盤保持枠本体２７の第二中ブラケット３３の貫通穴３５に内挿する上述した第四支持軸３４が下方に向けて垂設されている。
【００５０】
該化粧枠２６は、遊技盤保持枠本体２７の第二中ブラケット３３の貫通穴３５に、第三下ブラケット４２ｂの第四支持軸３４を内挿し、第二上ブラケット３０ａの下面から突出するベース枠２の第一上ブラケット１５の第二支持軸１９を、第三上ブラケット４２ａの貫通溝４３に嵌め込むことにより、第二支持軸１９及び第四支持軸３４の軸周りに回動して、ガラス扉２４を介して遊技領域Ｐを視認可能に装飾領域Ｄ等の前面を覆った装飾姿勢と、ガラス扉２４から離間した開放姿勢との間で姿勢変更可能に取り付けられる。
【００５１】
上記構成された前記前面枠３は、遊技盤保持枠本体２７の第二下ブラケット３０ｂの貫通穴３２に、ベース枠２の第一中ブラケット２１の第三支持軸２２を内挿し、第二上ブラケット３０ａがベース枠２のサブブラケット１７と化粧枠２６の第三上ブラケット４２ａとの間に介在するように、当該第二上ブラケット３０ａの貫通溝３１にベース枠２の第二支持軸１９を嵌め込むことにより、第二支持軸１９及び第三支持軸２２の軸周りに正逆回動して、ベース枠２の前面開口を塞ぐ閉鎖姿勢と、該前面開口を開放する開放姿勢との間で姿勢変更可能に取り付けられる。なお、前記化粧枠２６は、前面枠３（遊技盤保持枠本体２７）をベース枠２に取り付けた後に取り付けてもよい。
【００５２】
前記機構盤４は、前記ベース枠２内に嵌め込み可能に正面視略矩形状に形状設定されている。具体的には、機構盤４は、図３に示す如く、外形四角形状で環状の枠板４５と、枠板４５の外周縁部から前方に突出した状態で帯状に形成された外周縁堰条４６と、枠板４５の内周縁部から前方に突出した状態で帯状に形成された内周縁堰条４７とからなる合成樹脂製の環状構造体４８に、各種の部材がマウントされることによって構成され、環状構造体４８が、遊技盤２９の裏面側に装着された各種部材との緩衝を回避すべく、中央部に逃窓４９を形成している。
【００５３】
該環状構造体４８の背面側には、図４に示す如く、遊技島に設けられた遊技球供給装置（図示しない）から供給される遊技球を貯留する貯留タンク１４と、該貯留タンク１４から流入してくる（供給される）遊技球を環状構造体４８の左右両側に振り分け、該左右両側に振り分けられた遊技球を一列に整列させた状態で左右両側に形成された一対の供給部５０ａ，５０ｂから下流側に送球する振分整列部５１と、該振分整列部５１の一対の供給部５０ａ，５０ｂのそれぞれから送球されてくる遊技球を所定の球数で下流側に送球する一対の払出経路５２ａ，５２ｂと、前記一対の払出経路５２ａ，５２ｂに並設された一対の逃路５３ａ，５３ｂと、一対の逃路５３ａ，５３ｂの上流側の一端開口部に設けられ、遊技球を払出経路５２ａ，５２ｂ及び逃路５３ａ，５３ｂの何れかに導入するように経路を切り替える切替ダンパー５４とが設けられている。
【００５４】
前記貯留タンク１４は、平面視略矩形状をなす上部が開口状態にある箱状体であり、該箱状体の底部の内面は、該底部の略中央に形成された略矩形状の供給口５５に向けて先下りに傾斜した傾斜面を形成している。このように構成された貯留タンク１４は、環状構造体４８の枠板４５の背（裏）面上部に着脱自在に固定されている。
【００５５】
前記振分整列部５１は、前記貯留タンク１４の真下に設けられており、前記貯留タンク１４の供給口５５から供給される遊技球を左右方向に振り分けて、環状構造体４８の左右両側のそれぞれに導く振分部５６と、該振分部５６により左右に振り分けられた遊技球のそれぞれを一列に整列させる一対の整列部５７とで構成されている。
【００５６】
前記振分部５６は、左右対称に形成された一対の傾斜路５８ａ，５８ｂを備えている。一対の傾斜路５８ａ，５８ｂは、それぞれの最上流端同士が接続されて稜線ＢＬを形成するように左右対称に下流に向けて（稜線ＢＬを基準に機構盤４の横方向両側に向けて）先下りに形成されており、該稜線ＢＬが前記貯留タンク１４の供給口５５の中央部と対向している。なお、一対の傾斜路５８ａ，５８ｂについてより具体的に説明するが、該一対の傾斜路５８ａ，５８ｂのそれぞれは、同一構成により形成されているので、一方の傾斜路５８ａについてのみ具体的に説明する。
【００５７】
かかる一方の傾斜路５８ａは、図５（図４のＡ−Ａ断面拡大図）に示す如く、他方の傾斜路５８ｂと接続される上流端側が、貯留タンク１４の供給口５５と対向する直線部である第一直線傾斜部５９ａと、該第一直線傾斜部５９ａの下流端に接続された屈曲部である第一屈曲傾斜部６０ａと、前記第一直線傾斜部５９ａと並列をなすように、前記第一屈曲傾斜部６０ａの下流端に接続された直線部である第二直線傾斜部５９ｂと、該第二直線傾斜部５９ｂの下流端に接続された第二屈曲傾斜部６０ｂと、前記第一直線傾斜部５９ａ、及び第二直線傾斜部５９ｂと並列をなすように、前記第二屈曲傾斜部６０ｂの下流端に接続され、下流端に上述した供給部５０ａを形成する直線部である第三直線傾斜部５９ｃとで構成されている。
【００５８】
換言すれば、傾斜路５８ａは、真っ直ぐな直線傾斜部（直線部）５９ａ，５９ｂ，５９ｃと、所定位置で平面方向に屈曲する屈曲傾斜部（屈曲部）６０ａ，６０ｂとで構成され、該屈曲傾斜部６０ａ，６０ｂが複数（二つ）形成されて真っ直ぐな直線傾斜部（第一直線傾斜部５９ａ、第二直線傾斜部５９ｂ、及び第三直線傾斜部５９ｃ）が複数（三列）形成されたものである。
【００５９】
前記第一直線傾斜部５９ａは、稜線ＢＬから機構盤４の他端側（右側端）に向けて先下りに傾斜しており、該第一直線傾斜部５９ａの傾斜による遊技球の移動方向に対して直交方向（以下、幅方向という）の一方の縁部には、第一直線傾斜部５９ａ上を転動する遊技球が、当該第一直線傾斜部５９ａから離脱するのを防止する所定高さに設定された離脱防止ガイド体である板状の第一ガイド板６１ａが立設されている。また、幅方向の他方の縁部には、供給口５５から供給される遊技球を第一直線傾斜部５９ａ上に導く案内傾斜板６２が、第一直線傾斜部５９ａの反対側に延出して設けられている。
【００６０】
前記第一屈曲傾斜部６０ａは、前記第二直線傾斜部５９ｂが第一直線傾斜部５９ａと並列となるように平面方向Ｕ字状に形成されている。換言すれば、第一屈曲傾斜部６０ａは、第二直線傾斜部５９ｂ上を転動する遊技球の移動方向が、第一直線傾斜部５９ａ上を転動する遊技球の移動方向に対して平面方向で略１８０度変換されるように、Ｕ字状に形成されている。
【００６１】
また、該第一屈曲傾斜部６０ａの外周縁部には、第一屈曲傾斜部６０ａ側の内周面が、第一屈曲傾斜部６０ａの曲率半径に対応して凹状の湾曲面をなす緩衝ガイド体である第一案内ガイド部６３ａが起立状態で設けらており、該第一案内ガイド部６３ａは、上流側の一端が前記案内傾斜板６２の近傍に接続され、下流側の他端が後述する第二ガイド板６１ｂの一端部に接続されている。該第一案内ガイド部６３ａは、前記湾曲面の頂点と前記第一ガイド板６１ａの他端部と対向するように配置されており、第一ガイド６１ａの一端部と湾曲面の上流側の一端との間に、第一直線傾斜部５９ａの下流端部を接続する第一接続部７８ａを形成するとともに、第一ガイド６１ａの一端部と湾曲面の下流側の他端との間に、第二直線傾斜部５９ｂの上流端部を接続する第二接続部７８ｂを形成している。
【００６２】
前記第二直線傾斜部５９ｂは、上流側の一端部が第一屈曲傾斜部６０ａの第二接続部７８ｂに接続され、機構盤４の内部に向けて（第一直線傾斜部５９ａの傾斜方向とは反対方向（下流側）に）先下りに傾斜している。第二直線傾斜部５９ｂは、当該第二直線傾斜部５９ｂの傾斜による遊技球の移動方向に対して直交方向の一方の縁部が、前記第一直線傾斜部５９ａの一方の縁部に立設された第一ガイド板６１ａに接続されている。つまり、第一直線傾斜部５９ａと第二直線傾斜部５９ｂとは、第一ガイド板６１ａによって仕切られ、且つ第一屈曲傾斜部６０ａに接続されることで形成されている。また、第二直線傾斜部５９ｂの幅方向の他方の縁部には、第二直線傾斜部５９ｂ上を転動する遊技球が、当該第二直線傾斜部５９ｂから離脱するのを防止する所定高さに設定された離脱防止ガイド体である板状の第二ガイド板６１ｂが立設されている。
【００６３】
前記第二屈曲傾斜部６０ｂは、前記第三直線傾斜部５９ｃが第一直線傾斜部５９ａ（及び第二直線傾斜部５９ｂ）と並列となるように平面方向Ｕ字状に形成されている。換言すれば、第二屈曲傾斜部６０ｂは、第三直線傾斜部５９ｃ上を転動する遊技球の移動方向が、第二直線傾斜部５９ｂ上を転動する遊技球の移動方向に対して平面方向略１８０度変換される（第一直線傾斜部５９ａと同方向に移動する）ように、平面方向でＵ字状に形成されている。
【００６４】
また、該第二屈曲傾斜部６０ｂの外周縁部には、第二屈曲傾斜部６０ｂ側の内周面が、第二屈曲傾斜部６０ｂの曲率半径に対応して凹状の湾曲面をなす緩衝ガイド体である第二案内ガイド部６３ｂが起立状態で設けらており、該第二案内ガイド部６３ｂは、上流側の一端が第一ガイド板６１ａ他端部に接続され、下流側の他端が後述する第三ガイド板６１ｃの上流端に接続されている。該第二案内ガイド部６３ｂは、前記湾曲面の頂点と前記第二ガイド板６１ｂの他端部と対向するように配置されており、第二ガイド板６１ｂの他端部と湾曲面の上流側の一端との間に、第二直線傾斜部５９ａの下流端部を接続する第一接続部７９ａを形成するとともに、第二ガイド板６１ｂの他端部と湾曲面の下流側の他端との間に、第三直線傾斜部５９ｃの上流端部を接続する第二接続部７９ｂを形成している。
【００６５】
前記第三直線傾斜部５９ｃは、上流側の一端が第二屈曲傾斜部６０ｂの第二接続部７９ｂに接続され、第二直線傾斜部５９ｂの傾斜方向とは反対方向（下流）に向けて先下りに傾斜している。第三直線傾斜部５９ｃは、当該第三直線傾斜部５９ｃの幅方向の一方の縁部は、前記第二直線傾斜部５９ｂの他方の縁部に立設された第二ガイド板６１ｂに接続されている。
【００６６】
つまり、第二直線傾斜部５９ｂと第三直線傾斜部５９ｃとは、第二ガイド板６１ｂによって仕切られ、且つ第二屈曲傾斜部６０ｂに接続されることで形成されている。また、第三直線傾斜部５９ｃの幅方向の他方の縁部には、第三直線傾斜部５９ｃ上を転動する遊技球が、当該第三直線傾斜部５９ｃから離脱するのを防止する所定他kさに設定された離脱防止ガイド体である板状の第三ガイド板６１ｃが立設されている。このように一端が第二屈曲傾斜部６０ｂに接続された第三直線傾斜部５９ｃの下流端は、上述した供給部５０ａを形成し、該供給部５０ａが整列部５７に接続されている。
【００６７】
上記構成の傾斜路５８ａは、上部が開放状態にされており、所定高さに設定された第一ガイド板６１ａ、第二ガイド板６１ｂ及び第三ガイド板６１ｃによって、各直線傾斜部５９ａ，５９ｂ，５９ｃ上で遊技球が上下方向に重なりあった状態で多くの遊技球が移動できるように構成されている。換言すれば、傾斜路５８ａ，５８ｂ（振分部５６）は、多数の遊技球を貯留しつつ下流側に移動（供給）することができるように構成されている。また、本実施形態にかかるパチンコ遊技機における貯留タンク１４と、整列部５７との高低差を、従来のものと略一致させ、且つ第一直線傾斜部５９ａ、第二直線傾斜部５９ｂ、及び第三直線傾斜部５９ｃの合計長さを従来の傾斜路に比して長くしているので、第一直線傾斜部５９ａ、第二直線傾斜部５９ｂ、及び第三直線傾斜部５９ｃのそれぞれの傾斜角が、従来の傾斜路における傾斜角に比して小さくなっている。
【００６８】
上記構成の振分部５６によれば、貯留タンク１４の供給口５５から供給される（流れ込んだ）遊技球が、第一直線傾斜部５９ａ及び案内傾斜板６２上に落下し、第一直線傾斜部５９ａ上に落下した遊技球は、当該第一直線傾斜部５９ａの傾斜により第一屈曲傾斜部６０ａ（下流）に向けて移動（転動）し、案内傾斜板６２上に落下した遊技球は、当該案内傾斜板６２の傾斜によって第一直線傾斜部５９ａに案内された後、第一直線傾斜部５９ａ上を転動して第一屈曲傾斜部６０ａに向けて移動する。これにより、第一直線傾斜部５９ａ上で数珠繋ぎな状態をなした遊技球のうち下流側の遊技球が、第二屈曲傾斜部６０ｂに到達すると、該第二屈曲傾斜部６０ｂに到達した遊技球は、後続（上流側）で数珠繋ぎとなった複数の遊技球に押されて第二屈曲傾斜部６０ｂの第一案内ガイド部６３ａの湾曲面に当接するとともに、該湾曲面によって案内されて第二直線傾斜部５９ｂに案内される。この際、第一案内ガイド部６３ａには、第一直線傾斜部５９ａの傾斜角に対応した第一直線傾斜部５９ａ上の複数の遊技球の重量（垂直方向の力）の分力が、第一直線傾斜部５９ａの傾斜方向（第一直線傾斜部５９ａ上での遊技球の移動方向）で当接した遊技球を介して作用することとなる。
【００６９】
その後、第一案内ガイド部６３ａにより第二直線傾斜路５９ｂ上に案内された遊技球は、第二直線傾斜路５９ｂの傾斜により第二屈曲傾斜部６０ｂに向けて移動して、第二直線傾斜部５９ｂ上で数珠繋ぎな状態となる。これにより、遊技球が第一案内ガイド部６３ａに到達した際と同様に、第二直線傾斜部５９ｂ上の複数の遊技球のうち下流側の遊技球が、第二屈曲傾斜部６０ｂに到達すると、該第二屈曲傾斜部６０ｂに到達した遊技球は、第二直線傾斜部５９ｂ上における後続（上流側）で数珠繋ぎとなった複数の遊技球に押され、第二屈曲傾斜部６０ｂの第一案内ガイド部６３ａの湾曲面に当接するとともに、該湾曲面によって案内されて第三直線傾斜部５９ｃに案内される。
【００７０】
この際に、第二案内ガイド部６３ｂには、第一直線傾斜部５９ａ上での遊技球の移動方向が第二直線傾斜部５９ｂで略１８０度変換されているので、第二直線傾斜部５９ｂの傾斜角に対応した第二直線傾斜部５９ｂ上の複数の遊技球の重量の分力の合計と略同等に力が、第二直線傾斜部５９ｂの傾斜方向（第二直線傾斜部５９ｂ上での遊技球の移動方向）で当接した遊技球を介して第二案内ガイド部６３ｂに作用する（吸収される）こととなる。
【００７１】
そして、第二案内ガイド部６３ｂにより第三直線傾斜路５９ｃ上に案内された遊技球は、第三直線傾斜路５９ｂの傾斜により下流側に設けられた整列部５７に向けて転動して、第三直線傾斜部５９ｃ上で数珠繋ぎな状態となる。
【００７２】
つまり、上記構成の振分部５６の傾斜路５８ａ，５８ｂは、第一案内ガイド部６３ａを備えた屈曲した第一屈曲傾斜部６０ａ、及び第二案内ガイド部６３ｂを備えた屈曲した第二屈曲傾斜部６０ｂを形成することで、遊技球の移動（力の作用）方向を変換させるとともに、第一直線傾斜路５９ａ、及び第二直線傾斜路５９ｂ上の複数の遊技球の各重量の分力の合計と略同等の力を吸収させ、第三直線傾斜部５９ｃの下流側に遊技球（整列部５７内の遊技球）に、第三直線傾斜部５９ｃの小さな傾斜角に対応した第三直線傾斜部５９ｃ上の極めて少ない遊技球の重量における分力の合計と略同等の力（小さな力）のみが作用するように構成されている。
【００７３】
図４に戻り、前記整列部５７，５７のそれぞれは、一端が前記第三直線傾斜部５９ｃの下流端に接続され、第三直線傾斜部５９ｃと均一な経路を形成する帯状の傾斜板６４と、前記第三直線傾斜部５９ｃに接続される上流側に比して下流側ほど、前記傾斜板６４との間隔が狭くなるように傾斜して、前記傾斜板６４の上方に対向配置されたガイド体である整列板６５と、該傾斜板６４及び整列板６５のおく奥行き方向の端部同士を接続する接続板６６とで構成され、前記第三直線傾斜部５９ｃの供給部５０ａ，５０ｂに接続されて、第三直線傾斜部５９ｃとともに傾斜路を形成している。
【００７４】
前記傾斜板６４、整列板６５、及び接続板６６は、下流側ほど内部空間が小さい管路を形成している。傾斜板６４と整列板６５の互いの下流端間には、下方に向けて開放した横方向に並列状態にある一対の開口が形成されており、一方の開口（傾斜板６４側の開口）には、前記切替ダンパー５４を介して逃路５３ａ，５３ｂが接続され、他方の開口（整列板６５側の開口）には、払出経路５２ａ，５２ｂが接続されるように構成されている。
【００７５】
より具体的には、切替ダンパー５４は、傾斜板６４側の開口を開閉可能なように、傾斜板６４に沿って移動可能に当該傾斜板６４の下方に設けられており、切替ダンパー５４で傾斜板６４側の開口を閉じている際（整列板６５側の開口のみが開放されている際）に、切替ダンパー５４及び整列板６５により、一球のみの遊技球が通過し得る通過部６７を形成し、該通過部６７を通過した遊技球が一列に整列して払出経路５２ａ，５２ｂ内に導かれるように構成されている。
【００７６】
このように通過部６７に遊技球が導かれる際に、整列板６５は、傾斜板６４及び切替ダンパー５４上で上下方向に重なり合う遊技球のうち、上方側に位置する遊技球を整列板６５の傾斜面に沿って移動させ、通過部６７に向かうほど遊技球の球数（遊技球の移動方向に対して上下方向で重なり合う遊技球の球数）を漸減させつつ、通過部６７に案内するように構成されている。
【００７７】
前記一対の払出経路５２ａ，５２ｂのそれぞれは、前記整列部５７の整列板６５側の開口部に接続される上流側角管体６８ａ，６８ｂと、該上流側角管体６８ａ，６８ｂに接続された遊技球払出装置６９ａ，６９ｂと、該遊技球払出装置６９ａ，６９ｂに接続された下流側角管体７０ａ，７０ｂとで構成されている。
【００７８】
一方の払出経路５２ａは、受球口Ｉに遊技球が入球したりした際に、所定球数の賞球を払い出す賞球払出用の経路であり、環状構造体４８の左右両側に形成された起立部分の一方（図４における右側の起立部分）に形成されている。
【００７９】
他方の払出経路５２ｂは、遊技者による遊技球の購入金額に対応した球数を払い出す貸球払出用の経路であり、環状構造体４８の左右両側に形成された起立部分の他方（図４における左側の起立部分）に形成されている。
【００８０】
前記一対の払出経路５２ａ，５２ｂのそれぞれの上流側角管体６８ａ，６８ｂは、起立状態で形成された角管であり、上端開口が前記整列部５７の整列板６５側の開口７１ａ，７１ｂに接続されている。
【００８１】
前記一対の払出経路５２ａ，５２ｂのそれぞれの遊技球払出装置６９ａ，６９ｂは、それぞれ左右対称形状であるが同一構成であり、環状構造体４８の左右両側の起立部分に形成された開口に着脱自在に嵌め込まれている。
【００８２】
具体的には、遊技球払出装置６９ａ，６９ｂのそれぞれは、上流側角管体６８の下流端（下端開口）に接続されて該上流側角管体６８ａから供給される遊技球を一球ずつ取り込んで送り出す球送出機構を備えている
【００８３】
該球送出機構は、パルスモータ７２ａ，７２ｂに接続されたスプロケットにより、上流側管体６８ａ，６８ｂ内の遊技球の下流側角管体７０ａ，７０ｂ内への通過を規制（落下が静止）し、パルスモータ７２ａ，７２ｂを駆動してスプロケットを回転させすることで、上流側角管体６８ａ，６８ｂ内の遊技球がスプロケットのピッチ内に一球ずつ取り込まれるとともに、ピッチ内に取り込まれた遊技球をスプロケットの回転により移動させて下流側角管体７０ａ，７０ｂ内に順次落下させるように構成されたものである。なお、賞球払出用の払出経路５２ａの遊技球払出装置６９ａは、上述した遊技盤２９の遊技領域Ｐ内に設けられた受球口Ｉへの遊技球の入球に応じ、遊技盤２９に設けられた払出管４４を介して貯留皿３９に払い出すように構成されており、受球口Ｉに設けられた所定のセンサーが入球した遊技球を検出すると、パルスモータ７２ａ（スプロケット）が検出信号に応じた回転角度（所定球数の遊技球を払い出せる回転角度）で回転して、所定球数の賞球が払い出されるようになっている。
【００８４】
他方、貸球払出用の払出経路５２ｂの遊技球払出装置６９ｂは、遊技者の要望に応じて遊技球を貸し出しべく、前記払出管４４を介して貯留皿３９に払い出すように構成されており、例えば、並設されたパチンコ遊技機間に介設された台間球貸機に、貨幣或いは貨幣と等価の有価価値データが記憶されたプリペイドカード等が投入されると、パルスモータ７２ｂ（スプロケット）が貸し出し金額に応じた回転角度（所定球数の遊技球を払い出せる回転角度）で回転して、該金額に応じた球数の遊技球が払い出されるようになっている。
【００８５】
前記下流側角管体７０ａ，７０ｂは、上流側角管体６８ａ，６８ｂと同様に角管で構成されており、各上流側の一端開口が各遊技球払出装置６９ａ，６９ｂの下流側に接続されるとともに、該接続部分に対して下流側に部分が適宜曲げられ、他端開口７３ａ，７３ｂがパチンコ遊技機の前面側となる環状構造体４８の表面側で、且つ遊技盤４の払出管４４の他端開口と対応する位置に配置されている。つまり、遊技盤保持枠２３を閉じた際に、下流側角管体７０ａ，７０ｂの他端開口７３ａ，７３ｂ（図３参照）と、遊技盤４の下部に設けられた払出管４４の他端開口とが接続され、遊技球を貯留皿３９に供給できるように、下流側角管体７０ａ，７０ｂの他端開口７３ａ，７３ｂ（図３参照）が配置されている。
【００８６】
前記一対の逃路５３ａ，５３ｂのそれぞれは、パチンコ遊技機の交換、払出経路５２ａ，５２ｂ内での遊技球の球詰まりの解消や、遊技球払出装置６９ａ，６９ｂの故障によるメンテナンス時に、環状構造体４８の前面側に突出して切替ダンパー５４に連結されたレバー７４ａ，７４ｂ（図３参照）を操作して、切替ダンパー５４を移動させて整列部５７の傾斜板６４側の開口を開放することで、貯留タンク１４及び振分整列部５１内の遊技球を外部に取り出すためのものである。
【００８７】
かかる一対の逃路５３ａ，５３ｂのそれぞれは、環状構造体４８の左右両側の起立部分に起立状態で形成された角管であり、上端開口が整列部５７の傾斜板６４側の開口に切替ダンパー５４を介して接続され、環状構造体４８の下部における左右方向（正面視幅方向）の略中央部で合流し、該合流部分でパチンコ遊技機の前面側にそれぞれの下端開口７５（図３参照）が配置されている。
【００８８】
このようにパチンコ遊技機の前面側に下端開口７５が配置されているのは、遊技盤保持枠２３を閉じた際に、該下端開口７５が、貯留皿３９と連通した接続穴（図示しない）と接続され、貯留タンク１４及び振分整列部５１内に遊技球を逃路５３ａ，５３ｂを介して貯留皿３９に排出できるようにするためである。
【００８９】
また、この一対の逃路５３ａ，５３ｂの合流部分の内部には、合流部分の開口７５（逃路５３ａ，５３ｂの下端開口）を開閉自在とする開放ダンパー７６が設けられている。該開放ダンパー７６は、遊技盤保持枠２３を閉じた際に、環状構造体４８の前面側に突出し、且つ開放ダンパー７６に連結された作動部７７が、遊技盤保持枠２３により押圧されることで、当該開放ダンパー７６が傾動して開口７５が開放されるように構成されている。つまり、遊技盤保持枠２３を開いた状態にすると、作動部７７の押圧が解除されているので、開口７５が閉鎖した状態となる。
【００９０】
したがって、貯留タンク１４及び振分整列部５１の遊技球を外部に排出すべく、切替ダンパー５４を移動させても、遊技球が開口７５から流れ出ず、遊技盤保持枠２３を閉じた際に貯留皿３９を介して遊技球を排出することができる。
【００９１】
上記構成にパチンコ遊技機によれば、貯留タンク１４から供給される遊技球を整列させる整列部５７に導く振分部５６の傾斜路５８ａ，５８ｂが、第一屈曲傾斜部６０ａ、第二屈曲傾斜部６０ｂ、第一直線傾斜部５９ａ、第二直線傾斜部５９ｂ、及び第三直線傾斜部５９ｃにより構成されるとともに、第一屈曲傾斜部６０ａ、及び第二屈曲傾斜部６０ｂの外周縁部に第一案内ガイド部６３ａ及び第二案内ガイド部６３ｂを設けたので、遊技球の移動方向を平面方向で変換することができる。
【００９２】
したがって、平面方向の遊技球の移動方向の変換により、第一直線傾斜部５９ａ、第二直線傾斜部５９ｂ、及び第三直線傾斜部５９ｃのそれぞれで、傾斜角に対応する数珠繋ぎ状態の遊技球の重量の分力の合計に対応する力の作用方向が、第一屈曲傾斜部６０ａ（第一案内ガイド部６３ａ）、及び第二屈曲傾斜部６０ｂ（第二案内ガイド部６３ｂ）を境に変わるので、第一直線傾斜部５９ａ、第二直線傾斜部５９ｂ、及び第三直線傾斜部５９ｃ（各直線傾斜路）毎に、遊技球の重量の分力が独立した方向に作用する。
【００９３】
これにより、振分部５６の下流側で、遊技球を整列させるべく先細りに形成された整列部５７（通過部６７近傍）で、遊技球が重なりあっても、貯留タンク１４から供給される通過部６７より上流側の遊技球の重量の分力の全てが作用しないため、通過部６７近傍での球詰まりを防止することができる。すなわち、通過部６７近傍で、遊技球同士が重なりあっても、第三直線傾斜部５９ｃ上の極めて少ない球数の遊技球の分力のみが作用するので、通過部６７近傍の遊技球に大きな力が作用せず、当該場所で球詰まりが発生するのを防止することができる。
【００９４】
また、第一屈曲傾斜部６０ａ、第二屈曲傾斜部６０ｂ（複数の屈曲傾斜部）を形成するとともに、第一直線傾斜部５９ａ、第二直線傾斜部５９ｂ、及び第三直線傾斜部５９ｃ（複数の直線傾斜部）を平面方向に並列状態で形成したので、各直線傾斜部５９ａ，５９ｂ，５９ｃのそれぞれの傾斜角を小さくすることができ、傾斜角に対応した遊技球の重量に分力を小さなものとすることができ、下流側（整列部５７側）の遊技球に作用する力をいっそう小さなものとすることができ、通過部６７近傍での球詰まりをいっそう確実に防止することができる。
【００９５】
尚、本発明の遊技機は、上記実施形態に限定されるものではなく、本発明の要旨を逸脱しない範囲内において種々変更を加え得ることは勿論である。
【００９６】
本実施形態において、第一屈曲傾斜部６０ａ及び第二屈曲傾斜部６０ｂのそれぞれを平面方向にＵ字状をなすように形成したが、これらの屈曲傾斜部（屈曲部）は、必ずしもＵ字状に形成する必要はなく、例えば、Ｖ字型に屈曲してものであってもよい。この場合、各屈曲部に本実施形態における第一案内ガイド部６３ａ、第二案内ガイド部６３ｂのような、上流側から転動してくる遊技球が当接する緩衝ガイド体を設けることは勿論のことである。
【００９７】
本実施形態において、傾斜路５８ａ，５８ｂに屈曲部（第一屈曲傾斜部６０ａ、及び第二屈曲傾斜部６０ｂ）を二カ所形成したが、屈曲部６０ａ，６０ｂが二カ所形成されたものに限定されるものではなく、遊技球の移動方向を変換し得る屈曲部を一箇所以上に形成すればよい。したがって、直線傾斜部も、該屈曲部を形成した数に対応して形成すればよい。この場合においても、屈曲部に前記緩衝ガイド体を設けることは勿論のことである。
【００９８】
【発明の効果】
以上のように、本発明にかかる遊技機によれば、傾斜路上で重なり合う遊技球を整列させるべく案内するガイド体が形成した一球の遊技球のみを通過させる通過部に対して上流側の傾斜路が、少なくとも一箇所で平面方向に屈曲した屈曲部を形成し、屈曲部の外縁部には、少なくとも上流側から転動してきた遊技球が順次当接する緩衝ガイド体が立設されたので、屈曲部に対して上流側の傾斜路上を転動する遊技球を緩衝ガイド体に一旦当接させて、下流側の傾斜路上で転動する遊技球に当該上流側の傾斜路上の遊技球の重量の分力が作用するのを防止することができる。
【００９９】
これにより、通過部近傍に位置する遊技球に対し、屈曲部から下流側の傾斜路上に位置する少数の遊技球の重量の分力のみが作用することとなり、通過部近傍で重なりあう遊技球に、通過部近傍の球詰まりの原因となる全傾斜路上の複数の遊技球の重量の分力の合計と略同等の大きな力が作用するのを防止することができ、可動部材を用いることなく通過部近傍での球詰まりを防止して、通過部で遊技球を整列させることができる。
【図面の簡単な説明】
【図１】本発明の一実施形態にかかるパチンコ遊技機の正面図を示す。
【図２】同実施形態にかかるパチンコ遊技機の分解斜視図を示す。
【図３】同実施形態にかかる機構盤の斜視図を示す。
【図４】同実施形態にかかる機構盤の背面図を示す。
【図５】図４のＡ−Ａ断面図であって、同実施形態にかかる振分部の平面図を示す。
【符号の説明】
１…設置枠、２…ベース枠、３…前面枠、４…機構盤、５…天板、６…底板、７…側板、８…金属ロッド、９…ブラケット、１０…第一支持軸、１１…ベース枠本体、１２…収容部、１３…角穴、１４…貯留タンク、１５ａ…ブラケット（第一上ブラケット）、１５ｂ…ブラケット（第一下ブラケット）、１６…ブラケットベース、１７…サブブラケット、１８…貫通溝、１９…第二支持軸、２０…貫通穴、２１…ブラケット（第一中ブラケット）、２２…第三支持軸、２３…遊技盤保持枠、２４…ガラス扉、２５…窓枠、２６…化粧枠、２７…遊技盤保持枠本体、２８…貯留・操作部、２９…遊技盤、３０ａ…ブラケット（第二上ブラケット）、３０ｂ…ブラケット（第二下ブラケット）、３１…貫通溝、３２…貫通穴、３３…ブラケット（第二中ブラケット）、３４…第四支持軸、３５…貫通穴、３６…金具、３７…軸、３８…ブラケット（窓用ブラケット）、３９…貯留皿、４０…ハンドル、４１…円形窓、４２ａ…ブラケット（第三上ブラケット）、４２ｂ…ブラケット（第三下ブラケット）、４３…貫通溝、４４…払出管、４５…枠板、４６…外周縁堰条、４７…内周縁堰条、４８…環状構造体、４９…逃窓、５０ａ…供給部、５０ｂ…供給部、５１…振分整列部、５２ａ…払出経路、５２ｂ…払出経路、５３ａ…逃路、５３ｂ…逃路、５４…切替ダンパー、５５…供給口、５６…振分部、５７…整列部、５８ａ…傾斜路、５８ｂ…傾斜路、５９ａ…第一直線傾斜部（直線部）、５９ｂ…第二直線傾斜部（直線部）、５９ｃ…第三直線傾斜部（直線部）、６０ａ…第一屈曲傾斜部（屈曲部）、６０ｂ…第二屈曲傾斜部（屈曲部）、６１ａ…第一ガイド板（離脱防止ガイド体）、６１ｂ…第二ガイド板（離脱防止ガイド体）、６１ｃ…第三ガイド板（離脱防止ガイド体）、６２…案内傾斜板、６３ａ…第一案内ガイド部（緩衝ガイド体）、６３ｂ…第二案内ガイド部（緩衝ガイド体）、６４…傾斜板、６５…整列板（ガイド体）、６６…接続板、６７…通過部、６８ａ…上流側角管体、６８ｂ…上流側角管体、６９ａ…遊技球払出装置、６９ｂ…遊技球払出装置、７０ａ…下流側角管体、７０ｂ…下流側角管体、７１ａ…開口、７１ｂ…開口、７２ａ…パルスモータ、７２ｂ…パルスモータ、７３ａ…開口、７３ｂ…開口、７４ａ…レバー、７４ｂ…レバー、７５…開口、７６…開放ダンパー、７７…作動部、７８ａ…第一接続部、７８ｂ…第二接続部、７９ａ…第一接続部、７９ｂ…第二接続部、Ｃ…装飾カバー、Ｄ…装飾領域、Ｅ…電飾、Ｇ…板ガラス、Ｉ…受球口、Ｌ…レンズ体、Ｐ…遊技領域、Ｐｄ…遊技装飾領域、Ｓ…スピーカー、Ｔ…回転体（風車）、Ｂ…表示部
【図１】
0004018452.tif 000002
【図２】
0004018452.tif 000003
【図３】
0004018452.tif 000004
【図４】
0004018452.tif 000005
【図５】
0004018452.tif 000006